(57)【特許請求の範囲】
【請求項１】
長手方向に延在する底板と、該底板の幅方向両側に起立する側板とで樋状に形成され、内部に収容された電線を結束材で緊縛することにより電線が取り付られるプロテクタにおいて、
前記底板と前記側板とで略直角をなす隅部に切欠部が設けられ、該切欠部に側板の外側から前記結束材を通して、底板の外側に前記結束材を回すことにより、プロテクタの外周に前記結束材を巻回して締結することを特徴とするプロテクタ。
【請求項２】
前記切欠部は、前記結束材を抱持することができる程度に幅狭に形成されていることを特徴とする請求項１記載のプロテクタ。
【請求項３】
前記切欠部は、前記底板の幅方向両側に対向するように形成されていることを特徴とする請求項１又は２記載のプロテクタ。
【請求項４】
前記切欠部は、前記底板と前記側板とに跨って形成されていることを特徴とする請求項１〜３の何れかに記載のプロテクタ。
【請求項５】
切欠部に嵌合せしめた前記結束材は、前記側板の先端部に掛けられて締結することを特徴とする請求項１〜４の何れかに記載のプロテクタ。
【請求項６】
前記側板は、前記底板の幅方向に可撓性を有していることを特徴とする請求項１〜５の何れかに記載のプロテクタ。
【発明の詳細な説明】
【０００１】
【発明の属する技術分野】
本発明は、ワイヤハーネスや光ファイバ等の電線を収容し、保護するプロテクタに関するものである。
【０００２】
【従来の技術】
電線の電気的接触の信頼性を向上させるため、各種のプロテクタが提案されている。この種のプロテクタは、外部との干渉を防止して、電線を保護するためのものである。
【０００３】
従来、荷物等の積載される自動車のトランクやトラックの荷台に配索される電線は、荷物の出し入れの際に断線することがあった。トランクや荷台以外の箇所であっても、長時間の運転による車体の振動に起因して、電線に損傷を生ずることがあった。また、自動車等の電線の配線本数は、増加する傾向にあり、また細くなってきているために、絡まったりすることのないように束ねる必要性も生じている。このような課題を解決するために、上記プロテクタは幅広く利用されている。
【０００４】
図５及び図６は、実開昭５９−８５０１９号公報に記載された従来のプロテクタを示すものである。プロテクタ２０は、底板２１と、底板２１の両側に立設する側板２２ａ、２２ｂとから構成され、断面Ｕ字状を成している。電線２５を取り付けることができるように、プロテクタ２０の上方は開口している。プロテクタ２０の構成材料には、合成樹脂材料が用いられている。
【０００５】
両側板２２ａ、２２ｂは、互いに平行して長手方向に延在して形成されている。両側板２２ａ、２２ｂには、所定間隔毎に溝状に切欠きされた複数の切欠部２４が対向して形成されている。切欠部２４は、側板２２ａ、２２ｂの先端部２３に切り口を有し、下側に向かって切欠きして形成されている。
【０００６】
切欠部２４の寸法は、電線２５の直径及び電線２５の本数等を考慮して決定されている。切欠部２４の溝深さは、電線２５の配線本数が少ない場合にも、結束バンド３０を利用して電線２５を押さえつけることのできるように、深溝に切欠きされている。切欠部２４の幅寸法は、結束バンド３０等の幅よりやや大き目に設定されている。
【０００７】
プロテクタ２０に電線２５を固定する場合には、横に寝かせた状態でプロテクタ２０の内部空間に電線２５を収納した後、対向する一対の切欠部２４を跨ぐようにして、プロテクタ２０の外周側から、結束バンド３０を巻回して固定する。
【０００８】
【発明が解決しようとする課題】
しかしながら、上記従来のプロテクタにおいては、両側板２２ａ、２２ｂの上端部を切り欠いて溝状の切欠部２４が縦方向（ｙ方向）に設けられているため、両側板２２ａ、２２ｂの剛性が低下し、殊に、縦方向に曲げが作用した場合に切欠部２４に応力が集中して、変形するという心配があった。これは、切欠断面の断面二次モーメントが小さくなり、その部分での曲げに対する強度が低くなるからである。プロテクタ２０は薄肉形状の成型体であり、上述した断面性能の善し悪しは、曲げ剛性に対し最も強い影響を及ぼしている。
【０００９】
また、プロテクタ２０に収容される電線２５の配線本数の少ない場合には、電線２５はプロテクタ２０の底板２１、側板２２ａ、２２ｂ及び結束バンド３０の間に挟持されて固定されるものの、一方、電線２５の配線本数の多い場合、言い換えると、プロテクタの内部空間一杯に電線２５が収納される場合には、底板２１及び結束バンド３０での固定となり、巻き付け力が不十分となって電線２５が抜き外れるといった懸念があった。
【００１０】
配線本数の多い場合であっても電線を確実に固定するには、結束バンド３０の巻き付け力を強くする必要がある。そうすると、逆に、結束バンド３０の張力が増加するため切れるという別の心配があった。このような場合、一対の切欠部２４の長手方向の間隔を狭めて切欠部２４の数を増加させるということも考えられるが、そうすると、切欠部２４の加工数が多くなり生産能率が低下するという問題があった。
【００１１】
本発明は、上記した点に鑑み、プロテクタの強度を低下させることなく、電線を確実に固定でき、また外部の干渉から電線を保護することのできるプロテクタを提供することを目的とする。
【００１２】
【課題を解決するための手段】
上記目的を達成するために、本発明は、長手方向に延在する底板と、該底板の幅方向両側に起立する側板とで樋状に形成され、内部に収容された電線を結束材で緊縛することにより電線が取り付られるプロテクタにおいて、前記底板と前記側板とで略直角をなす隅部に切欠部が設けられ、該切欠部に側板の外側から前記結束材を通して、底板の外側に前記結束材を回すことにより、プロテクタの外周に前記結束材を巻回して締結することを特徴とする（請求項１）。
【００１３】
また、前記切欠部は、前記結束材を抱持することができる程度に幅狭に形成されていることも有効である（請求項２）。前記切欠部は、前記底板の幅方向両側に対向するように形成されていることも有効である（請求項３）。
【００１４】
また、前記切欠部は、前記底板と前記側板とに跨って形成されていることも有効である（請求項４）。切欠部に嵌合せしめた前記結束材は、前記側板の先端部に掛けられて締結することも有効である（請求項５）。前記側板は、前記底板の幅方向に可撓性を有していることも有効である（請求項６）。
【００１５】
以下に、上記構成に基づく作用・効果を説明する。
請求項１記載の発明においては、断面略Ｕ字状のプロテクタ内に電線が収容され、底板と側板との隅部に設けられた切欠部に結束材を通し、プロテクタの外周に結束材を巻回して緊縛することで電線が固定される。切欠部は、全周が板材で囲まれているため、曲げ剛性が高く、どの方向に曲げても変形しない。曲げ剛性が高いのは、断面二次モーメントの性質によるものである。すなわち、断面二次モーメントは、断面積×（距離）2に比例することは明らかであり、本発明によるプロテクタの切欠部は、底板と側板との隅部に設けられているため、側板の断面積が図心軸に対して遠い位置（高い位置）にあるからである。
【００１６】
請求項２記載の発明においては、結束材は、幅狭の切欠部に抱持されることにより、プロテクタの長手方向への横ズレが防止される。
【００１７】
請求項３記載の発明においては、切欠部が底板の幅方向両側に対向するように形成されているため、結束材の座りが良くなり、強固に巻き付けることができるとともに、横ズレ・回転ズレが防止される。
【００１８】
請求項４記載の発明においては、切欠部は全周が板材で囲まれているため、側板には切り口がなく、応力集中が回避される。
【００１９】
請求項５記載の発明においては、切欠部に嵌合させた結束材を側板の先端部に掛けることにより、無理に屈曲させることなく容易に結束作業を行うことができる。
【００２０】
請求項６記載の発明においては、側板は底板の幅方向に可撓性を有しているため、結束材を緊縛することにより側板がプロテクタの内部空間側に撓み、電線は横方向（ｘ方向）からも押圧されて固定される。また、電線の配線本数の少ない場合には、側板を深く折り曲げて、電線を直接に押し付けて固定することができる。
【００２１】
【発明の実施の形態】
以下に本発明の実施の形態の具体例を図面を用いて詳細に説明する。
図１は本発明に係るプロテクタの第一の実施形態を示す斜視図、図２は図１に示すプロテクタのＡ−Ａ線に沿う断面図、図３は図１に示すプロテクタの外周に結束バンドを巻回した状態を示す断面説明図、図４は図１に示すプロテクタの外周に結束バンドを巻回して、側板を折り曲げた状態を示す断面説明図である。
【００２２】
図１に示すように、プロテクタ１は、底板２と、底板２の両側に起立する側板３ａ、３ｂとから構成され、断面Ｕ字状を成している。底板２と側板３ａ、３ｂとから構成される内部空間は、電線１０を収容する電線収容部８を構成している。この電線収容部８に、電線１０が横臥されて収容される。
【００２３】
プロテクタ１の外周側面のうち一側面が開放しているのは、電線１０を上方から収容するためである。電線１０は、プロテクタ１の外周に結束バンド１５（結束材）等を巻回して固定される。従来例には、プロテクタ本体に連接されたプロテクタカバーを回動して固定するものもあるが、本発明はプロテクタカバーのないプロテクタを対象としている。
【００２４】
結束バンド１５は、帯状のバンド部１６と箱状のクランプ部１７とから構成されている。バンド部１６の一側面は、長手方向に配設された複数の溝より成る係止部１８を有し、クランプ部１７は、バンド部１６の係止部１８に係合する可撓性の係止爪（図示しない）を有している。バンド部１６を引っ張りながらクランプ部１７に挿入することにより、係止部１８が係止爪と係合して係止されるようになっている。
【００２５】
このような結束バンド１５は、一方の側板３ａの先端部５から他方の側板３ｂの先端部５に掛け渡され、プロテクタ１の外側で緊縛することができるようになっている。本発明のプロテクタ１は、結束バンド１５の結束作業性も考慮されており、電線１０を容易かつ正確に固定することができる。
【００２６】
プロテクタ１の底板２と両側板３ａ、３ｂとで略直角をなす隅部４には、切欠部６が設けられている。切欠部６は、プロテクタ１の長手方向に所定の間隔で形成されている。切欠部６の長さＬは、結束バンド１５を嵌合できる所定の長さＬになっている。
【００２７】
図１に示すように、プロテクタ１の幅方向両側にある切欠部６は、対向して形成されているが、互い違いになるように千鳥状に形成してもよい。切欠部６を対向して形成した場合には、プロテクタ１の外周に巻回する結束バンド１５の巻き付け安定性が高く、強固に巻き付けることができる利益がある。
【００２８】
図２に示すように、断面Ｌ字状の切欠段部７は、底板２及び側板３ａ、３ｂに跨って形成されている。底板２の切欠幅Ｄと側板３ａ、３ｂの切欠高さＨは、プロテクタ１の強度を低下させることのない寸法に設定されている。また、切欠幅Ｄと切欠高さＨの関係は、１対１の関係にあることが好ましい。このようにすると、縦方向（ｙ方向）及び横方向（ｘ方向）に対するバランスがよく、曲げ剛性の方向依存性が少なくなるからである。
【００２９】
切欠段部７は、底板２及び側板３ａ、３ｂに対して略直角に形成されている。略直角に形成したのは、結束バンド１５の長手方向への横ズレを防止するためである。従って、一度結束バンド１５を巻き付けると、ズレて緩むことがなくなり、電線１０はプロテクタ１に強固に固定される。
【００３０】
図３は、プロテクタ１に収容される電線１０の配線本数が多い場合を示している。電線１０は、プロテクタ１の電線収容部８一杯に収容されており、左右の側板３ａ、３ｂによって抱持されるとともに、結束バンド１５によって上方からも押圧されて固定されている。従って、本発明によるプロテクタ１は、電線１０の配線本数が多い場合でも確実に固定することができる。
【００３１】
他方、図４は、プロテクタ１に収容される電線１０の配線本数の少ない場合を示している。両側板３ａ、３ｂは、プロテクタ１の横方向（幅方向）に可撓性を有しているため、結束バンド１５を強く巻き付けした際に、内側に撓むことができるようになっている。従って、収容された電線１０は、縦方向からだけでなく横方向からも押し付けられて、二次元的に拘束される。このような構成は、電線１０の配線本数が少ない場合や、小径の電線１０を固定する場合にも有効である。
【００３２】
従来技術の欄で述べたように、従来のプロテクタには、側板の上端部に切り口を有する溝状の切欠部が形成されており、切欠部の側板断面積が小さくなって、縦方向の曲げに対して弱いという問題を有していた。また、切欠部に応力が集中しやすいという問題もあった。
【００３３】
しかし、本発明のプロテクタでは、角孔状の切欠部６が底板２及び側板３ａ、３ｂに跨って形成されているため、溝状の切欠部のように切り口がなく、切欠部６に応力が集中することを回避できる。また、切欠断面の断面性能が従来に比べて良くなっているため、殊に、縦方向の曲げに対する曲げ剛性が向上している。
【００３４】
【発明の効果】
以上の如く、請求項１記載の発明によれば、断面略Ｕ字状のプロテクタ内に電線が収容され、底板と側板との隅部に設けられた切欠部に結束材を嵌合し、プロテクタの外周に結束材を巻回して緊縛することで電線が固定される。切欠部は、全周が板材で囲まれているため、曲げ剛性が高く、どの方向に曲げても変形しない。曲げ剛性が高いのは、断面二次モーメントの性質によるものである。すなわち、断面二次モーメントは、断面積×（距離）2に比例することは明らかであり、本発明によるプロテクタの切欠部は、底板と側板との隅部に設けられているため、側板の断面積が図心軸に対して遠い位置（高い位置）にあるからである。
従って、プロテクタの曲げ剛性および捩り剛性が向上する。また、外部との干渉から接続電線を有効に保護することができる。
【００３５】
また、請求項２記載の発明によれば、結束材は、幅狭の切欠部に抱持されることにより、プロテクタの長手方向への横ズレが防止される。
【００３６】
また、請求項３記載の発明によれば、切欠部が底板の幅方向両側に対向するように形成されているため、結束材の座りが良くなり、強固に巻き付けることができるとともに、横ズレ・回転ズレが防止される。
従って、請求項１記載の発明の効果に加えて、結束材の巻き付け安定性が向上するという効果を奏する。
【００３７】
また、請求項４記載の発明によれば、切欠部は全周が板材で囲まれているため、側板には切り口がなく、応力集中が回避される。
従って、曲げ剛性の方向依存性がないから、どの方向に曲げても変形することがない。
【００３８】
また、請求項５記載の発明によれば、結束材を側板の先端部に掛けることにより、無理に屈曲させることなく容易に結束作業を行うことができる。
従って、結束材の結束作業性がよく、電線を容易かつ正確に固定することができる。
【００３９】
また、請求項６記載の発明によれば、側板は底板の幅方向に可撓性を有しているため、結束材を緊縛することにより側板がプロテクタの内部空間側に撓み、電線は横方向（ｘ方向）からも押圧されて固定される。また、電線の配線本数の少ない場合であっても、容易に側板が折り曲げられて電線を直接に押し付けて固定することができる。
従って、電線は縦方向に加えて横方向からも押圧されて、プロテクタの内部空間に確実に固定され、電線抜けを防止することができる。また、電線を外部との干渉から保護することができる。
【図面の簡単な説明】
【図１】本発明に係るプロテクタの第一の実施形態を示す斜視図である。
【図２】図１に示すプロテクタのＡ−Ａ線に沿う断面図である。
【図３】図１に示すプロテクタの外周に結束バンドを巻回した状態を示す断面説明図である。
【図４】図１に示すプロテクタの外周に結束バンドを巻回して、側板を折り曲げた状態を示す断面説明図である。
【図５】従来の一例を示すプロテクタの斜視図である。
【図６】図５のＢ−Ｂ線に沿う断面図である。
【符号の説明】
１          プロテクタ
３ａ、３ｂ  側板
４          隅部
５          先端部
６          切欠部
７          切欠段部
８          電線収容部
１０        電線
１５        結束バンド
Ｄ          底板の切欠幅
Ｈ          側板の切欠高さ
Ｌ          切欠長さ
【図１】
0003764644.tif 000002
【図２】
0003764644.tif 000003
【図３】
0003764644.tif 000004
【図４】
0003764644.tif 000005
【図５】
0003764644.tif 000006
【図６】
0003764644.tif 000007